Podtech/llm-jp-corpus-v4-ja_patent huggingface dataset:
(57)【要約】【課題】篠笛の歴史において従来のものは、竹の表面を自然の形態のまま生かし制作している。それによって細い棒状の物がもたらす極度の局面を指腹で押さえなければならない。そのため篠笛を構えたとき手孔が確認しにくい、空気漏れを生じる頻度が高いなどの障害があった。篠笛の音量を大きくする目的で手孔を拡げようにも、それを押さえきるにはかなりの技術を要し、手の小さな奏者には困難な状態である。又小さい手孔は音量が小さいだけでなく、篠笛特有の奏法である、指すりやそれによるメリ音を大変難しくする物である。そのため吹き手上級者でなければ複雑な音律・曲想を演奏することができない。【解決手段】手孔周辺部ｂの竹管表層部ａを最大深部とし、ａが中心になるよう局面に削りくぼみをつける。手孔部分の竹肉の厚みをうすくすることで、指腹で押さえた場合の手孔からの空気漏れがなくなり、くぼみの曲線が指腹に安定することによって、より滑らかな指運をうながすことができる。これにより上記課題が解決するものである。【選択図】  図２
2005134855.tif 000002
【特許請求の範囲】
【請求項１】
通常、管に唄口と手孔が開いている篠笛において、手孔を塞ぎやすく、かつ指使いを滑らかにする為、手孔周辺部を削り取ってくぼませたことを特徴とする篠笛。
【発明の詳細な説明】
【技術分野】
【０００１】本考案は、音楽演奏用の篠笛において、手孔を塞ぎやすく、かつ、スムーズな指運を促すための造作に関する。
【背景技術】
【０００２】従来、この種の篠笛としては、素材に手孔を開けただけのものが一般的である。
【発明の開示】
【発明が解決しようとする課題】
【０００３】篠笛においては、例えば、洋楽器のフルートのようなキーがなく、管に開けられた手孔を直接、指の腹で塞いで音律をつくる。そのため、吹き手によっては、とくに篠笛を習い始めて間もない初心者の場合、もしくは、アップテンポの速いリズムの曲を奏する場合、手孔を指で正確に塞ぎにくく、指運もなめらかにいかない等の不都合を生じるケースが多いという問題点があった。
【課題を解決するための手段】
【０００４】上記の不都合を解消すべく、手孔を吹き手の指の腹で完全に塞げるよう、孔の周りを削り取って、くぼみをつける。
【発明の効果】
【０００５】篠笛において、手孔の位置を指で確認することを容易にして、塞ぎやすくかつ滑らかな指使いを促す効果がある。
【発明を実施するための最良の形態】
【０００６】本考案を実施するための最良な形態について、図面にしたがって説明する。図１は手孔周辺部くぼみ付篠笛の全体をあらわす正面図。図２は手孔周辺部正面の拡大図である。このように、竹管に唄口と手孔用の穴が開いた篠笛において、手孔の部分が人間の指腹に添うような形にくぼみをつけるため、手孔の部位の竹管表層一周をおう型に削り取る。ａは、最大に削り取られる部分を表し、ｂは削り取る幅、ｃは竹管の外側直径を示す。【０００７】尚、本考案の原料素材である篠竹は、生物であり、管の太さや竹肉部分の厚さは、２つとして同じものが存在しない。よって、くぼみの寸法と幅は、各々の竹に応じて、制作者が調律とのころ合いで調整して図る。
【実施例】
【図面の簡単な説明】
【０００８】
【図１】手孔周辺部くぼみ付篠笛の全体正面を示した図である。
【図２】手孔周辺部くぼみ付篠笛の正面を拡大したものである。
【図３】手孔周辺部くぼみ付篠笛の管尻断面図。
【図４】手孔周辺部くぼみ付篠笛の全体側面図である。
【図５】手孔周辺部くぼみ付篠笛の側面を拡大したものである。
【符号の説明】
【０００９】ａ  くぼみ最大深部
ｂ  削り取る幅
ｃ  竹管の外側直径
ｄ  竹肉の厚み
ａはｄの１／４以内とする
【図１】
2005134855.tif 000003
【図２】
2005134855.tif 000004
【図３】
2005134855.tif 000005
【図４】
2005134855.tif 000006
【図５】
2005134855.tif 000007
(57)【要約】【課題】三味線を弾いた時にもっと音量を大きくしたい場合、各種樹脂を含浸させた生糸製三味線糸を提供する。【解決手段】生糸に合成樹脂又は天然樹脂を浸漬塗装又はしごき塗り又はスプレー塗装でむら無く含浸させたことを特徴とする。【選択図】図１
2005134859.tif 000002
【特許請求の範囲】
生糸（【図２】）に合成樹脂又は天然樹脂を含浸させた（【図１】）三味線の糸。
【発明の詳細な説明】
【発明の詳細な説明】
【技術分野】
【０００１】この発明は、生糸に合成樹脂又は天然樹脂を含浸させた三味線の糸に関するものである。
【背景技術】
【０００２】生糸を撚って染料で着色したものであった。
【発明が解決しようとする課題】
【０００３】これは次のような要望があった。
（イ）同一の三味線を弾いて音量をもっと大きくする事が出来ないか。
（ロ）演奏時の撥・指によるダメージで音色が直ぐに悪くなったり切れたりするが、もっと糸を強く出来ないか。
本発明は、これらの要望を満足させるものである。
【課題を解決する為の手段】
【０００４】生糸（
【図２】
）に合成樹脂又は天然樹脂を浸漬塗装又はしごき塗り又はスプレー塗装でむら無く含浸させ（
【図１】
）、三味線の糸に仕上げたものである。
【発明を実施するための最良の形態】
【０００５】以下、本発明の実施の形態について説明する。
生糸（
【図２】
）に合成樹脂又は天然樹脂を浸漬塗装又はしごき塗り又はスプレー塗装で含浸させる（
【図１】
）。
本発明は以上のような構造で、三味線の糸として撥・指で弾かれた時音量が大きくなると同時に、強度を増すことが出来る。
【発明の効果】
【０００６】以下の２つの効果がある。
（イ）撥・指で弾かれた時音量が大きくなる。
（ロ）撥・指で弾かれた時のダメージ及び高湿度等環境による劣化を緩和できる。
【図面の簡単な説明】
【図１】本発明の断面図
【図２】従来の生糸製三味線の糸
【図１】
2005134859.tif 000003
【図２】
2005134859.tif 000004
(57)【要約】【課題】  不純物として炭素数３〜５の炭化水素を含むプロピレンオキサイドから効率良く炭素数３〜５の炭化水素を除去できるという優れた特徴を有するの精製方法を提供する。【解決手段】  不純物として炭素数３〜５の炭化水素を含むプロピレンオキサイドから炭素数３〜５の炭化水素を気相部に除去する方法において、炭化水素除去工程において、水分濃度が１０００重量ｐｐｍ以上であるプロピレンオキサイド精製方法。水分濃度を調整した不純物として炭素数３〜５の炭化水素を含むプロピレンオキサイドに窒素のような軽沸ガスを導入することによって、プロピレンオキサイド中の炭素数３〜５の炭化水素を気相留分として効率良く除去することができる。【選択図】      なし【特許請求の範囲】
【請求項１】
不純物として炭素数３〜５の炭化水素を含むプロピレンオキサイドから炭素数３〜５の炭化水素を気相部に除去する方法において、炭化水素除去工程において、水分濃度が１０００重量ｐｐｍ以上であるプロピレンオキサイド精製方法。
【請求項２】
排水を用いて炭化水素除去工程の水分濃度を制御する請求項１記載の方法。
【請求項３】
炭化水素除去工程から気相として除去される炭素数３〜５の炭化水素およびプロピレンオキサイドを含む気相留分から、プロピレンオキサイドを抽剤に回収する工程を含む請求項１または請求項２記載の方法。
【請求項４】
抽剤が水である請求項１〜請求項３のうちの一の請求項に記載の方法。
【発明の詳細な説明】
【技術分野】
【０００１】
本発明は、プロピレンオキサイドの精製方法に関するものである。更に詳しくは、本発明は、不純物として炭素数３〜５の炭化水素を含むプロピレンオキサイドから効率良く炭素数３〜５の炭化水素を除去できるという優れた特徴を有するの精製方法に関するものである。
【背景技術】
【０００２】
プロピレンオキサイドを製造する方法として、触媒存在下、有機過酸化物とプロピレンを反応させる方法が知られている。かかる反応で得られる反応液中には目的物であるプロピレンオキサイドの他に、不純物として水、炭化水素、メタノール、ホルムアルデヒド、アセトアルデヒド、プロピオンアルデヒド、アセトン、ギ酸メチル等の酸素含有化合物が含まれているのが一般である。よって、反応液から高純度のプロピレンオキサイドを分離・回収するための多段精製工程が必要となる。
【０００３】
特許文献１には、プロピレンオキサイドの精製において、軽沸成分および重質成分を蒸留により除去する方法が開示されている。また、特許文献２には、オクタンのようなアルカンが、炭素数６を有する炭化水素不純物を効果的に除去する方法が開示されている。さらに、特許文献３には、オクタンのようなアルカンが、炭素数６を有する炭化水素不純物を効果的に除去する方法が開示されている。特許文献４には、オクタン等の炭化水素がプロピレンオキサイド中に含まれるメタノール、プロピオンアルデヒド、アセトン等の不純物を効果的に除去する方法が開示されている。
【０００４】
【特許文献１】米国特許第３８８１９９６号明細書
【特許文献２】米国特許第３８４３４８８号明細書
【特許文献３】特公昭５０−７５７１号公報
【特許文献４】米国特許第５１３３８３９号明細書
【発明の開示】
【発明が解決しようとする課題】
【０００５】
かかる状況の下、本発明が解決しようとする課題は、不純物として炭素数３〜５の炭化水素を含むプロピレンオキサイドから効率良く炭素数３〜５の炭化水素を除去できるという優れた特徴を有するの精製方法を提供する点に存する。
【課題を解決するための手段】
【０００６】
すなわち、本発明は、不純物として炭素数３〜５の炭化水素を含むプロピレンオキサイドから炭素数３〜５の炭化水素を気相部に除去する方法において、炭化水素除去工程において、水分濃度が１０００重量ｐｐｍ以上であるプロピレンオキサイド精製方法に係るものである。
【発明の効果】
【０００７】
本発明により、不純物として炭素数３〜５の炭化水素を含むプロピレンオキサイドから効率良く炭素数３〜５の炭化水素を除去できるという優れた特徴を有するの精製方法を提供することができた。
【発明を実施するための最良の形態】
【０００８】
本発明で精製に供する粗プロピレンオキサイドは、クロルヒドリン法、有機過酸化物法、過酸化水素法等の方法で製造される。例えば、有機過酸化物法では、クメンの酸化により製造されるクメンハイドロパーオキサイド、エチルベンゼンの酸化により製造されるエチルベンゼンハイドロパーオキサイド、イソブタンの酸化により製造されるイソブチルハイドロパーオキサイド等有機過酸化物とプロピレンを反応させることにより含酸素化合物や炭化水素を不純物として含む粗プロピレンオキサイドを得ることができる。
【０００９】
不純物として含まれる炭素数３〜５の炭化水素は蒸留塔の軽沸成分として濃縮した後に除去することができるが、どうしても、炭素数３〜５の炭化水素不純物とともにプロピレンオキサイドのロスを引き起こしてしまう。
【００１０】
蒸留塔の熱量を増量して、炭素数３〜５の炭化水素不純物をさらに濃縮することも可能であるが、精製に要するエネルギー消費量の増加や蒸留塔の設備が大きくなり設備費が高くなるため、炭素数３〜５の炭化水素不純物の濃縮には工業的な意味で限界がある。
【００１１】
ところが、不純物として炭素数３〜５の炭化水素を含むプロピレンオキサイドに一定量以上の水が含有することにより、炭素数３〜５の炭化水素の分離性が飛躍的に高まることを見出した。
【００１２】
本発明においては、水分濃度を調整した不純物として炭素数３〜５の炭化水素を含むプロピレンオキサイドに窒素のような軽沸ガスを導入することによって、プロピレンオキサイド中の炭素数３〜５の炭化水素を気相留分として効率良く除去することができる。プロピレンオキサイド中の水分濃度は、１０００ｐｐｍ以上であることが必要であり、１０％以上であることが好ましい。
【００１３】
プロセス内やプロセス外で発生する排水を再利用することにより、排水量の増加なしに水分濃度調整ができる。
【００１４】
一方、気相留分に炭素数３〜５の炭化水素と共にパージされるプロピレンオキサイドについても、抽剤で洗浄することにより、回収することができる。例えば、炭化水素との親和性の低い水を抽剤として使用することで、プロピレンオキサイドを選択的に回収することが可能である。
【実施例】
【００１５】
次に、実施例により本発明を説明する。
実施例１
炭素数３〜５の炭化水素を不純物として含むプロピレンオキサイドに窒素を吹き込んだ後の液組成を分析した。水分濃度は水の添加により調整した。その結果を表１に示す。
【００１６】
【表１】
2005097205.tif 000002
(57)【要約】【課題】  この発明は、体力の低下した高齢者の婦人や妊婦の産後のための着用したままトイレで用がたせる、パンツの下につけるガードルに関するものである。【解決手段】  Ａ．ガードルの素材部分    （イ）ニット用の接着芯地とニット生地の地の目を同一方向にそろえて接着し一枚の生地にする。    （ロ）生地の地の目とガードルの前後の中心線が直角になるように前身頃と後身頃を裁断する。    （ハ）接着芯地がガードルの表面、ニット生地がガードルの裏面になるように縫製する。              Ｂ．ガードルの形状の部分    （イ）ガードルの後ろ裾部分の左右に伸縮性のあるテープを２本とりつける。    （ロ）テープの先端にループ状のひもをつける。    （ハ）ガードルの前裾部分の左右にボタンをつける。    （二）このループにボタンをかける。【選択図】  図１
2005097807.tif 000002
【特許請求の範囲】
【請求項１】
Ａ．ガードルの素材部分
（イ）ニット用の接着芯地とニット生地の地の目を同一方向にそろえて接着し一枚の生地にする。
（ロ）生地の地の目とガードルの前後の中心線が直角になるように前身頃と後身頃を裁断する。
（ハ）接着芯地がガードルの表面、ニット生地がガードルの裏面になるように縫製する。
【請求項２】
Ｂ．ガードルの形状の部分
（イ）ガードルの後ろ裾部分の左右に伸縮性のあるテープを２本とりつける。
（ロ）テープの先端にループ状のひもをつける。
（ハ）ガードルの前裾部分の左右にボタンをつける。
（二）このループにボタンをかける。
【発明の詳細な説明】
【発明の詳細な説明】
【技術分野】
【０００１】          この発明は、体力の低下した高齢者の婦人や妊婦の産後のための着用したままトイレで用がたせる、パンツの下につけるガードルに関するものである。
【背景技術】
【０００２】          従来のガードルには大別すると、（１）腰痛防止のベルト式ガードルと（２）股のあるシェイプアップガードルがある。
【発明が解決しようとする課題】
【０００３】        従来の技術は、パンツの上につけることだけしか考えていないため素材としては、ゴムやナイロンまたはポリウレタン等化学繊維を使用して伸縮性を実現していればよかった。しかしパンツの下につけるガードルの素材としては肌ざわり、吸湿性、保温性の点で従来のガードルが使用している科学繊維は不適である。下着に広く利用されているニット生地が最適であるがニット生地だけでは伸縮性が大きすぎて単なる腹巻になってしまい、一定の寸法以上は伸びにくいガードル本来の体型保持機能が実現できない。ニット生地を使用し、かつ一定の寸法以上には伸びにくい生地を実現することが最初の課題であった。次にパンツの下につけトイレの度に上げ下ろししないためには、ガードルの股の部分を取り除く必要がある。しかし、大多数の女性はヒップ寸法がウエスト寸法より大きいので股の部分をとると、つけているうちに自然と上のほうにずり上がる。それを度々直すのは大変わずらわしい。なんとか上に上がらないようにするのが次の課題であった。本発明は、高齢者のこうした強い要望にこたえるために発明されたものである。
【課題を解決するための手段】
【０００４】    Ａ．ガードルの素材部分
（イ）ニット用の接着芯地とニット生地の地の目を同一方向にそろえて接着し一枚の生地にする。
（ロ）生地の地の目とガードルの前後の中心線が直角になるように前身頃と後身頃を裁断する。
（ハ）接着芯地がガードルの表面、ニット生地がガードルの裏面になるように縫製する。
Ｂ．ガードルの形状の部分
（イ）ガードルの後ろ裾部分の左右に伸縮性のあるテープを２本とりつける。
（ロ）テープの先端にループ状のひもをつける。
（ハ）ガードルの前裾部分の左右にボタンをつける。
（二）このループにボタンをかける。
【発明を実施するための最良の形態】
【０００５】          次に本発明の実施の形態をのべると、２枚の生地を貼り合わせ、本来ならば裏面になる芯地を表面に出し、表面になるニット地を裏面にし、かつ生地の地の目を９０度変えることによって伸縮性はあるが一定の寸法以上は伸びにくい生地になり、ガードルとしての体型保持機能がもてた。あわせて、下着としての吸湿性、保温性、肌触りを実現した。また後ろの股に下がる２本のテープを内腿に沿って前ボタンにそれぞれ止める事によりガードルをつけたままトイレで用をたすことが可能になり、テープの効果でガードルがずり上がってこなくなった。このテープをボタンにとめる方法はテープにボタンホールをあけても良い。またドットボタンをつけても良い。
【発明の効果】
【０００６】          トイレの近くなった高齢者にとって、ガードルをつけたくても怖くてつけられなかった。本発明によりガードルをつける不安が解消され毎日つけることが可能になった
【図面の簡単な説明】
【図１】          本発明の斜視図
【図１】
2005097807.tif 000003
(57)【要約】【課題】  和装の時にウェスト部分を動かさずに用便が容易にできる優雅なキュロット型の婦人用和装下着を提供する。【解決手段】  平常時は臀部と股間の露出を防ぎ、用便時には容易に露出するよう腋の一方を面ファスナーで開閉自在にしている。股間付近に布が存在して用便時に布が汚染されるのを防ぐために、股上を深く下げ、股で奥行を出したキュロット型にしている。  用便時には、面ファスナーを離して、前後に分かれた布を折り返し、他方の足を包んで面ファスナーの下方を合わせると臀部と股間は露出し、和洋いずれの便器を使用してもウェスト部分を動かさずに容易に用便ができる。足を開く動作が多い場合に備えて、面ファスナーの下方にボタン留めを設けている。【選択図】  図１
2005097809.tif 000002
【特許請求の範囲】
【請求項１】
腋の一方が面ファスナーで開閉され下方がボタン留めに成っており、股上が深く下げられていることを特徴とするキュロット型の婦人用和装下着。
【発明の詳細な説明】
【技術分野】
【０００１】  本発明は、和装の時にウェスト部分を動かさずに用便が容易にできる婦人用和装下着に関するものである。
【背景技術】
【０００２】  従来、和装においては、上衣のウェスト部分を紐や帯できつく締めるので下着の上げ下ろしが困難で用便に不便な状況にあった。
これを解決しようとして、通称股割れパンティーと呼ばれる股間部より前後の上方に割れ目を設けて、用便時に腰を落としたときに股間を露出できるようにした和装下着が知られている。
また、特許文献１にあるトランクス型の婦人用下着がある。
いずれも股間付近に布が存在するために用便時に不便であり、形状が男性用に似て婦人用和装下着としての優雅さがなかった。
【特許文献１】実用新案第３０２０４５３号
【発明の開示】
【発明が解決しようとする課題】
【０００３】  婦人用和装下着には、平常時は臀部と股間が露出せず、用便時にはウェスト部分を動かさずに用便が容易にでき、和装下着としての優雅な形状であることが求められていた。
上記（特許文献１）は腋を開閉することに本発明との類似点があるが、（特許文献１）が両腋にスリットを設け、スリットの係合手段としてミニスプリングホック又はボタン・ファスナー・マジックテープを使用しているのに対し、本発明は片腋を開け、面ファスナーとボタンを併用している。
また、（特許文献１）は男性用に似たトランクス型で婦人用和装下着としての優雅さに欠け、股上の深さを考慮していないので股間付近に布が存在し、用便時に布が汚染される恐れがある。
本発明は、以上の問題を解決しようとするものである。
【課題を解決するための手段】
【０００４】  平常時は臀部と股間の露出を防ぎ、用便時には容易に露出するよう腋の一方を面ファスナーで開閉自在にしている。股間付近に布が存在して用便時に布が汚染されるのを防ぐために、股上を深く下げ、股で奥行を出したキュロット型にしている。
用便時には、面ファスナーを離して、前後に分かれた布を折り返し、他方の足を包んで面ファスナーの下方を合わせると臀部と股間は露出し、和洋いずれの便器を使用してもウェスト部分を動かさずに容易に用便ができる。足を開く動作が多い場合に備えて、面ファスナーの下方にボタン留めを設けている。
【発明の効果】
【０００５】  腋の一方が面ファスナーで開閉自在なので、平常時は臀部と股間が露出せず、用便時には容易に露出する。股上を深く下げて股で奥行を出したキュロット型で、布が股間から離れているので用便時に汚染されない。
これらの構造により、和洋いずれの便器を使用してもウェスト部分を動かさずに容易に用便ができる。キュロット型は、股を意識させない形状なので全体のシルエットを優雅に見せている。面ファスナーの下方に設けたボタンを留めれば、足を開く動作が多い場合にも腋が開かない。
【発明を実施するための最良の形態】
【０００６】  以下、本発明の実施の形態を図１、図２および図３に基づいて説明する。
（イ）この婦人用和装下着は、左右の前身頃（１）と後身頃（２）から構成される。
（ロ）前後中央の股上（１０）を深く下げて、股（９）で奥行を出したキュロット型で、股（９）と股上（１０）・股下（１１）がカーブで結ばれている。
（ハ）腋（４）の一方は、腰回り部（３）にゴムを入れるため上部が少し縫われ、残りが持出し（１２）・見返し（１３）になり面ファスナー雄面（５）面ファスナー雌面（６）が２カ所ついて開閉できるようになっており、下方にボタン（７）・ボタンホール（８）が設けられている。
（ニ）腋（４）の他の一方は全部縫われている。
（ホ）腰回り部（３）にゴムが入っている。
（ト）前後の身頃（１）（２）が同型で、腋（４）の開閉部を左右いずれにも着用可能にしている。
（チ）生地は、既存の和装肌着類に準じ薄手がよい。
本発明は、以上の構成によりなっている。
本発明を使用するときは、
（イ）腰回り部（３）から足を入れて着用し、面ファスナー雄面（５）面ファスナー雌面（６）を軽く押さえて腋を閉じる。
（ロ）足を開く動作が多いときはボタン（７）を留めるが、通常の動作では留める必要はないので取り除いてもよい。
（ハ）用便時は、ボタン（７）をはずし面ファスナー雄面（５）面ファスナー雌面（６）を離して、前後に分かれた布を折り返し、他方の足を包んで下方の面ファスナー雄面（５）面ファスナー雌面（６）を合わせると臀部と股間は露出する。
または、折り返した後方の布を、和式では他方の足の太腿とふくらはぎで挟み、洋式では太腿と便座で挟むことにより臀部と股間は露出する。
こうして和式・洋式いずれにおいても容易に用便ができる。
（ニ）用便終了後は、立ち上がって折り返した布を元に戻せば自然に腋で面ファスナー雄面（５）面ファスナー雌面（６）がくっつくので軽く押さえて閉じる。
（ホ）腋開きは、好みで左右を自由に着用してよい。
【実施例１】
【０００７】  腰回り部（３）は、ゴムに代えて紐でもよく、また、ゴ厶テープを直接付けてもよい。
【実施例２】
【０００８】  丈が長めなので、裾除けを兼ねた使用が可能である。
【実施例３】
【０００９】  股下（１１）を長くし、面ファスナー（５）（６）を３カ所つけて冬季用とすることができる。
【図面の簡単な説明】
【００１０】
【図１】  本発明の斜視図
【図２】  本発明の一部を切り欠いた側面図
【図３】  本発明の使用状態を示す斜視図
【符号の説明】
【００１１】    １  前身頃
２  後身頃
３  腰周り部
４  腋
５  面ファスナー雄面
６  面ファスナー雌面
７  ボタン
８  ボタンホール
９  股
１０  股上
１１  股下
１２  持出し
１３  見返し
【図１】
2005097809.tif 000003
【図２】
2005097809.tif 000004
【図３】
2005097809.tif 000005
(57)【要約】      （修正有）【課題】販売促進の為に従来にない販売システムを提案する。【解決手段】衣服やバックにポケットや装着用テープをつけて、子供達に人気のキャラクターグッズや玩具を取り付け販売するシステム。子供たちが衣服を身につけると楽しくなるものにする。また大人の方たちは、衣服やバッグにも小物ポケットを作り、風水グッズやお守り等をセットにし販売するシステム。身につけると癒されるものにする。【選択図】なし【特許請求の範囲】
【請求項１】
ベビー服や子供服、バック等にポケットを装着しその中にキャラクターグッズや玩具、カード、写真お守りなど入れて販売するシステム。
婦人服や紳士服にはカードやお守り、風水グッズを入れて販売する。
【発明の詳細な説明】
【技術分野】
【０００１】  本発明は、子供用の衣服やバックに子供用の人気キャラクターグッズや玩具の収納出来るポケットを作り、衣服とグッズをセットにして販売するシステム、
紳士や婦人の衣服やバックにも小物ポケットを作り、風水グッズやお守り等をセットにして販売する。
また、玩具に風水グッズやお守りをセットして販売するシステム。
【背景技術】
【０００２】  従来からお菓子類に玩具等をつけて販売するシステムは存在している。
今現在、衣服と玩具、小物類は別売り販売のシステムである。
【発明の開示】
【０００３】  衣服等に玩具や小物、風水グッズとセットして販売することによって、同時に２つのものを楽しみたいという消費者のニーズに答える販売システムを作る。
(57)【要約】【課題】簡単な構造でボックスの設置作業や扉体の交換を容易に行えるプラボックスの蝶番構造を提供することを目的としている。【解決手段】本体１には本体側蝶番３ａを、扉体２には扉体側蝶番３ｂを設け、それぞれに蝶番ピン挿通孔３ｃを形成し、蝶番ピン４の先端には蝶番フック５を取り付け、蝶番３の蝶番ピン挿通孔３ｃ近傍にボス３ｄを設けると共に、ボス３ｄに対向する位置にボス受け５ａを形成し、蝶番ピン４を本体側蝶番３ａと扉体側蝶番３ｂとの蝶番ピン挿通孔３ｃに挿通し、蝶番３に設けられたボス３ｄにボス受け５ａを係合させて蝶番ピン４を固定し、箱体本体１に扉体２を取り付けることを特徴とする。【選択図】図１
2005097844.tif 000002
【特許請求の範囲】
【請求項１】
プラボックスにおける箱体本体に扉体を回動動作により開閉可能に取り付けるための蝶番構造であって、本体には本体側蝶番を、扉体には扉体側蝶番を設け、それぞれに蝶番ピン挿通孔を形成し、蝶番ピンの先端には蝶番フックを取り付け、前記蝶番の蝶番ピン挿通孔近傍にボスを設けると共に、該ボスに対向する位置にボス受けを形成し、前記蝶番ピンを前記本体側蝶番と扉体側蝶番との蝶番ピン挿通孔に挿通し、前記蝶番に設けられたボスに前記ボス受けを係合させて蝶番ピンを固定し、前記箱体本体に扉体を取り付けることを特徴とする蝶番構造。
【請求項２】
前記蝶番構造であって、前記蝶番の近傍には、前記蝶番フックのフック部に対向する切り欠きを設け前記フック部が係止可能であることを特徴とする請求項１に記載の蝶番構造。
【発明の詳細な説明】
【技術分野】
【０００１】
本発明は、プラボックスの箱体本体に扉体を回動動作により開閉可能に取り付けるための蝶番構造に関するものである。
【背景技術】
【０００２】
従来、プラボックスの蝶番構造は、箱体本体２１には本体側蝶番２２ａを、扉体２３には扉体側蝶番２２ｂを形成し、本体側蝶番２２ａと扉体側蝶番２２ｂとを組み合わせ、それぞれの蝶番２２に設けられた蝶番ピン挿通孔２４に蝶番ピン２５を圧入して固定し、蝶番ピン２５は外れない構造であった。
【非特許文献１】日東工業株式会社、２００１ ＢＯＸカタログ、ｐ．３５８
【発明の開示】
【発明が解決しようとする課題】
【０００３】
プラボックスを設置する際、扉体２３をはずして作業したい場合でも、蝶番ピン２５をはずせず、扉体２３の脱着が容易にできなずに作業性の悪いものとなっていた。
【０００４】
また、特に屋外に設置されたプラボックスは外部からの衝撃を受け破損することがあるが、その場合、扉体２３の脱着が容易でないと扉体２３のみのメンテナンスができないという欠点があった。
【課題を解決するための手段】
【０００５】
そこで本発明は、簡単な構造でボックスの設置作業や扉体の交換を容易に行えるプラボックスの蝶番構造を提供することを目的とし、その構造は、本体には本体側蝶番を、扉体には扉体側蝶番を設け、それぞれに蝶番ピン挿通孔を形成し、蝶番ピンの頭部には蝶番フックを取り付け、蝶番の蝶番ピン挿通孔近傍にボスを設けると共に、ボスに対向する位置にボス受けを形成し、蝶番ピンを本体側蝶番と扉体側蝶番との蝶番ピン挿通孔に挿通し、蝶番に設けられたボスにボス受けを係合させて蝶番ピンを固定し、箱体本体に扉体を取り付けることを特徴とする。
【０００６】
また、蝶番の近傍には、蝶番フックのフック部に対向する切り欠きを設けフック部が係止可能であることを特徴とする。
【発明の効果】
【０００７】
本発明のプラボックスの蝶番構造は、蝶番ピンが必要なときには取り外し可能であることにより、扉体の脱着が容易に行え、作業性を向上させることができる。
【発明を実施するための最良の形態】
【０００８】
本発明のボックスの蝶番構造は、容易に確実且つ容易に蝶番ピンの取り付けが行えるようにし、扉体の着脱可能とするという目的を、簡単な構造で実現した。
【実施例１】
【０００９】
本発明のプラボックスの蝶番構造を図１〜図２の添付図面に基づいて説明する。
【００１０】
本発明に係るプラボックスは前面に開口を有する箱体本体１と、開口を施蓋する扉体２とから構成され、扉体２は回動動作により開閉可能に蝶番３を用いて箱体本体１に取り付けられる。箱体本体１には本体側蝶番３ａを、扉体２には扉体側蝶番３ｂを形成している。
【００１１】
本体側蝶番３ａと扉体側蝶番３ｂを組み合わせ、それぞれの蝶番３に設けられた蝶番ピン挿通孔３ｃに蝶番ピン４を挿通し、箱体本体１に扉体２を組み付ける。蝶番ピン４は蝶番ピン挿通孔３ｃに余裕を持って挿通できる太さで形成され、頭部４ａは蝶番ピン挿通孔３ｃより大きな径とし、蝶番ピン挿通孔３ｃから抜け落ちないようにしている。また、蝶番ピン４の頭部４ａには蝶番フック５を取り付け、蝶番ピン４の着脱を工具を用いず行えるように手が掛けられるようになっている。
【００１２】
蝶番３の蝶番ピン挿通孔３ｃ近傍にボス３ｄを設けると共に、蝶番ピン４の取り付けた蝶番フック５には、ボス受け５ａを形成する。蝶番ピン４を蝶番ピン挿通孔４ｃに挿通し、扉体２を一旦閉じると、蝶番フック５を回転しボス３ｄがボス受け５ａに対向して、蝶番ピン４が固定される。ボス３ｄがボス受け５ａに係止されるため、扉体２を開閉させても、蝶番ピン４は回転しないので、簡単に外れてしまうことはない。
【実施例２】
【００１３】
図３に示すように、蝶番６の近傍には切り欠き７を設け、蝶番ピン８を蝶番６に挿通したときに、蝶番フック９が切り欠き７に係止可能である。プラボックスは、そのまま上下逆転させて扉体１０の開閉方向を変更することが可能である。蝶番ピン８は上方から差し直して用いるが、万一差し替えを忘れたとしても、蝶番フック９が切り欠き７に係止し、蝶番ピン８の回転を阻止しているので蝶番ピン８が蝶番６から抜け落ちることがない。
【産業上の利用可能性】
【００１４】
本発明に係るプラボックスの蝶番構造は、蝶番の取り付け、取り外しは工具を用いずに行え、プラボックスの組み立てが容易である。
【図面の簡単な説明】
【００１５】
【図１】プラボックスの蝶番構造を示す分解斜視図である。（実施例１）
【図２】図１におけるプラボックスの蝶番構造の組み立てた状態を示す斜視図である。（実施例１）
【図３】プラボックスの開閉方向を変更した状態を示す斜視図である。（実施例２）
【図４】従来技術におけるプラボックスの蝶番構造を示す斜視図である。
【符号の説明】
【００１６】
１      箱体本体
２      扉体
３      蝶番
３ａ    本体側蝶番
３ｂ    扉体側蝶番
３ｃ    蝶番ピン挿通孔
３ｄ    ボス
４      蝶番ピン
４ａ    頭部
５      蝶番フック
５ａ    ボス受け
６      蝶番
７      切り欠き
８      蝶番ピン
９      蝶番フック
１０    扉体
【図１】
2005097844.tif 000003
【図２】
2005097844.tif 000004
【図３】
2005097844.tif 000005
【図４】
2005097844.tif 000006
(57)【要約】      （修正有）【課題】短時間に製作でき、購入、維持費用が安価で、脱着が容易にでき、通気性を良くして、ヘアーバンド、ねじりハチマキ等に取り付けられ、生え際等の心配も少なく、頭髪の自然体をアピールできる毛髪装着体を提供する。【解決手段】毛髪装着帯２と毛髪固定帯５の間に毛髪１を取り付け、マジックテープ３等で固定する。毛髪装着帯継ぎ目４は頭部装着に合った寸法をマジックテープ３等で調整することを可能とした。【選択図】図２
2005097813.tif 000002
【特許請求の範囲】
【請求項１】
ヘアーバンド、頭部はちまき等を利用した毛髪装着帯の裏面にマジックテープ等で毛髪を取り付け、頭部装着に合った寸法をマジックテープ等で調整可能とする毛髪装着帯。
【請求項２】
ヘアーバンド、頭部はちまき等既製帯状品の両端を結んでも装着可能とした毛髪装着帯。
【発明の詳細な説明】
【発明の詳細な説明】
【技術分野】
【０００１】  本発明は、頭部の毛髪が生えていない、又毛髪が薄い場合にこれをカバーする毛髪装着帯。（ＩＰＣ産業分類、Ａ４２）
【背景技術】
【０００２】  従来のかつら等は頭の形状に合わせた装着部に毛髪を埋め込んで装着、又は頭髪の根元に製作した毛髪を結んで装着し、毛髪が伸びたら根元まで戻す等の手法がある。
【発明が解決しようとする課題】
【０００３】  従来のかつら等は完成まで多大の時間とその維持の為の費用が掛かるため、早期に安価で、脱着が容易にでき、通気性を良くして、維持費用も安価にすることとヘアーバンド、ねじりハチマキ等に取り付けられるため、かつら等にある生え際の心配が少なく、頭髪の自然体をアピールできることを目的とする。
【課題を解決するための手段】
【０００４】  上記目的を達成するために本発明の毛髪装着帯は従来から使用されている頭部に巻きつけて装着しているヘアーバンド、ねじりハチマキ等、大勢の物を利用して装着可能とし、マジックテープ等を用い脱着を容易にした。又毛髪装着帯に毛髪を縫合するなど固定して使用することもできて、頭部装着に合った寸法をマジックテープ等で調整可能とする。
【０００５】  図２と図３のように、タオル、ねじりハチマキその他、ヘアーバンド、サンバイザー、バンダナ、テニス等に使うヘアーサポーター等を繋いだ無限帯状のものと両先端を結んだものにも使用できる。
【発明を実施するための最良の形態】
【０００６】  発明の実施の形態を実施例にもとづき図面を参照して説明する。
図２の毛髪１を毛髪固定帯５に固定してマジックテープ３を取り付け、毛髪装着帯２に取り付ける。【０００７】  図３はねじりハチマキに毛髪を装着した図であるが、図４のようにねじりハチマキの形状にあったマジックテープ３を取り付ける。
【発明の効果】
【０００８】  本発明は、以上説明したように構成されているので、以下に記載されるような効果を奏する。
【０００９】  本発明の毛髪装着帯は従来のかつら等は完成まで多大の時間とその維持の為の費用が掛かるため、早期に安価で、脱着が容易にでき、通気性を良くして、維持費用も安価にすることとヘアーバンド、ねじりハチマキ等に取り付けられるため、生え際等の心配も少なく、頭髪の自然体をアピールできることを目的とする。頭部装着に合った寸法をマジックテープ等で調整可能とした。
【図面の簡単な説明】
【図１】  ヘアーバンド調の無限帯状毛髪装着帯に毛髪を装着した正面図である。
【図２】  ヘアーバンド調毛髪装着帯にマジックテープと毛髪とを毛髪固定帯で装着した断面図である。
【図３】  ねじりハチマキ調の無限帯状毛髪装着帯に毛髪を装着した正面図である。
【図４】  ねじりハチマキ調の毛髪装着帯にマジックテープと毛髪とを毛髪固定帯で装着した断面図である。
【符号の説明】
１  毛髪
２  毛髪装着帯
３  マジックテープ
４  毛髪装着帯継ぎ目
５  毛髪固定帯
【図１】
2005097813.tif 000003
【図２】
2005097813.tif 000004
【図３】
2005097813.tif 000005
【図４】
2005097813.tif 000006
(57)【要約】【課題】  フリーサイズの頭に被るフードにおいて使用者のサイズに合わせ無段階にサイズの調整ができるようにする。【解決手段】  フード１の半分から下側にヒモのガイド２を取り付けその中へ紐３を通し、その紐３を引き込むことによりフード１全体が絞られサイズの調整が出来ることとした。【選択図】  図１
2005097814.tif 000002
【特許請求の範囲】
【請求項１】
頭に被るフード本体の半分から下側にヒモを通すガイドを設け、そのガイドの中へ紐を通し、その紐を引き込むことによりフード全体を絞り込みサイズの調整ができることとしたフードのサイズ調整アジャスター。
【発明の詳細な説明】
【発明の詳細な説明】
【発明の属する分野】
【０００１】  本発明は、頭に被るフードの半分から下側にヒモを通すガイドを設け、そのガイドの中へ紐を通し、その紐を引き込むことによりフード全体の絞り込みが可能となり無段階にフードのサイズ調整が出来るフードのサイズ調整アジャスター。
【背景技術】
【０００２】  従来の頭に被るフードは、ほとんどがフリーサイズで製作されていて、使用者のサイズに調整する機能が無いのが現状である。従来のフードは、ほとんどが前面だけを絞り込むだけで視界が悪く、使用していて非常に煩わしいものである。
【発明を実施するための最良の形態】
【０００３】  本発明はフリーサイズのフードのサイズの調整が使用者のサイズに合わせて調整することが可能となり、それを図面ついて説明すれば、フード１の半分から下側にヒモを通すガイド２を設け、その中へ紐３を通したものである。
【発明の効果】
【０００４】  このようにすれば、紐３を引き込むことでフード１全体が絞り込まれサイズの調整が無段階に簡単にできる。また、従来のような局部的な絞り込みをしないので、バランスの良い調整ができ煩わしさも無く使用感も良く非常に便利である。
【図面の簡単な説明】
【図１】    フード調整アヂャスターの全体斜視図である。
【図２】    フード調整アヂャスター正面図である。
【図３】    フード調整アヂャスター側面図である。
【図４】    フード調整絞り込時の全体斜視図である。
【符号の説明】
１  フード本体
２  ヒモを通すガイド
３  調整用のヒモ
【図１】
2005097814.tif 000003
【図２】
2005097814.tif 000004
【図３】
2005097814.tif 000005
【図４】
2005097814.tif 000006
(57)【要約】【課題】      視界を妨げず取り外しが簡単にでき、さまざまな帽子の鍔の形状に対応するようにし、折り畳めるようにした、帽子の鍔に取りつけるバックミラーを提供する。【解決手段】  対向した２つの狭持片の中央内側にバネを介して先端を開閉自在とするクリップにおいて、つまみ部の後端にボールジョイントの冠着部を設け、ボールジョイントの支軸を、回動自在とし、支軸に設けた支持板の一面に凸面鏡を設け、つまみ部の先端を帽子の鍔に挟んで、凸面鏡をバックミラーとして使用する、以上を特徴とする帽子の鍔用バックミラーである。【選択図】    図１
2005097812.tif 000002
【特許請求の範囲】
【請求項１】
対向した２つの狭持片の中央内側にバネを介して先端を開閉自在とするクリップにおいて、つまみ部の後端にボールジョイントの冠着部を設け、ボールジョイントの支軸を、回動自在とし、支軸に設けた支持板の一面に凸面鏡を設け、つまみ部の先端を帽子の鍔に挟んで、凸面鏡をバックミラーとして使用する帽子の鍔用バックミラー。
【発明の詳細な説明】
【技術分野】
【０００１】この発明は、帽子の鍔に取り付ける、バックミラーに関するものである。
【背景技術】
【０００２】従来、帽子に付けたバックミラーで前を向いたまま、後方を確認するために、帽子の両側面に設けた支持棒の先にバックミラーを取りつけたものががあった。
【特許文献１】特開２０００−１５４４１６号公報
【発明の開示】
【発明が解決しようとする課題】
【０００３】    これには次のような問題点があった。
イ  帽子への取り付けが容易でなく、取り付けた後見た目が大げさであり見栄えが良くない。布地の帽子の側面に支持棒を固定するため頭の側面のカーブに支持棒がなじまず装着が不安定であり、歩行中や走りながらの後方確認は難しい。
ロ  バックミラー部分が大きく、常に前面の左右にある為バックラーに隠れて視野が限られ狭まる。
本発明は、これらの問題点を解決しようとするものである。
【課題を解決するための手段】
【０００４】  対向した２つの狭持片の中央内側にバネを介して先端を開閉自在とするクリップにおいて、つまみ部の後端にボールジョイント部を設け、ボールジョイントの支軸を、回動自在とし、支軸に設けた支持板の一面に凸面鏡を設ける。つまみ部の先端を帽子の鍔に挟んで、凸面鏡をバックミラーとして使用する、以上を特徴とする帽子の鍔用バックミラーである。
【発明の効果】
【０００５】  立ったまや歩行中やジョギング中に後方からの自動車や自転車、追い抜いてゆく人や、後方から迫ってくる危険を回避するために、本発明を使用する事により後方の様子を前を向いたままで視認できるようにしたものである。
【発明を実施するための最良の形態】
【０００６】  以下、本発明の実施の形態を説明する。
図１に示すように、対向した２つの狭持片（１ａ）（１ｂ）の中央内側にバネ（１０）を介して先端を開閉自在とするクリップ部（Ａ）において、つまみ部（２ｂ）の後端にボールジョイント部（Ｃ）の冠着部（７）を設け、ボールジョイントの支軸（６）を、回動自在とし、支軸（６）に設けた支持板（５）の一面に凸面鏡（４）を設ける、図３に示すようにクリップ部（Ａ）の狭持部を帽子（１２）の鍔（１１）に挟んで、凸面鏡（４）をバックミラーとして使用する、又図１に示すようにボールジョイント支軸（６）を折り畳んだとき、冠着部（７）の中心近くまで支軸（６）が入れるようにＵ字型切り込み（１３）を入れ鏡部（Ｂ）が深くクリップ部（Ａ）に平行に折り畳む事が出来るようにすると良い。【０００７】  また、本発明の他の実施例として図４に示すように、鏡部（Ｂ）の支持板（５）から伸びる支軸（６）からの回転軸（８）がクリップ（３）の軸受け（９）に軸着され、鏡部（Ｂ）を上下方向へ角度調整ができる、左右の角度の調整は、帽子の鍔にクリップ（３）を挟着してから左右にずらす事により調整できる、クリップ（３）はプラスチック又は金属製で折り曲げて挟む力で帽子の鍔に挟着する。【０００８】  本発明は以上のような構成で、これを使用するときには、ふだんは鏡部（Ｂ）をクリップ側に折り畳んでおき、使用するときにはボールポイント部（Ｃ）により鏡部（Ｂ）を押し下げて角度の調整をする、帽子の洗濯の時や、不要のときはクリップを帽子からかんたんに外す事ができる。ボールジョイント部（Ｃ）によりクリップ部（Ａ）へ折りたたんでいた鏡部（Ｂ）を下方に開き、ボールジョイントにより鍔の形状に係わりなくミラー本体を水平に保てる。【０００９】  本発明の帽子の鍔用バックミラーは一個でもよく、帽子の鍔の中心から左右どちら側でも挟着でき、鍔の左端右端でなくとも良い、顔を正面より角度１０度から２０度程向けば後方の視界は確保される。
本発明の帽子の鍔用バックミラーはクリップで鍔に挟着する為ミラーに映った後方の視界は安定してみえ、ミラーが目に近ずいても後方の視界はぼやけない。
【図面の簡単な説明】
【００１０】
【図１】本発明の斜視図
【図２】本発明の側面断面図
【図３】本発明を帽子の鍔への使用状態の側面図
【図４】本発明の他の実施例を示す斜視図
【符号の説明】
【００１１】  Ａ      クリップ部
Ｂ      鏡部
Ｃ      ボールジョイント部
１ａ    狭持片
１ｂ    狭持片
２ａ    つまみ部
２ｂ    つまみ部
３      クリップ
４      凸面鏡
５      支持板
６      支軸
７      冠着部
８      回転軸
９      軸受け
１０      バネ
１１      鍔
１２      帽子
１３      Ｕ字型切り込み
【図１】
2005097812.tif 000003
【図２】
2005097812.tif 000004
【図３】
2005097812.tif 000005
【図４】
2005097812.tif 000006
(57)【要約】【課題】  着物を上部分と下部分を分けスーツとして、別仕立てをして、それぞれに独自性を持たせ、帯の着脱を自由とし、帯なしでも活用でき、帯有りとして着用したら、普通に着物を着ているように見えるようにした着物スーツを提案する。【解決手段】着物を上部分と下部分に分け、上下を別仕立てとして、他の物と交換できることを特徴とする。【選択図】図１
2005097811.tif 000002
【特許請求の範囲】
【請求項１】
着物を上部分と下部分に分け、上下自由に他の物と替えることが可能な着物スーツ。
【発明の詳細な説明】
【発明の詳細な説明】
【技術分野】
【０００１】  この発明は、着物を上下に分けるため、着脱が容易にできる。
帯の使用も自由であり、上下を他の物と替えて着ることができるように工夫したもので、従来の二部式着物の改良に関するものである。
【背景技術】
【０００２】  従来の二部式着物は、上部を幅広の紐で結ぶため、帯は使用できなかった。
また、着物を二部に分けているだけで、別の物に替えることはできなかった。
【発明が解決しようとする課題】
【０００３】  これは次のような欠点があった。
従来の二部式着物は、上部の裾を紐で結ぶため帯は使用できず、着物本来の美しさに欠ける。
また、上着の裾を結ぶ紐が幅が広く長い上、蝶々結びで結ぶ形式のため、やや野暮ったい感じになることは歪めない。
さらに上下で一式のため、部分的に汚れ、シミ、や破れるなどの支障が合った場合、代用ができない。
こういったことが、従来の二部式着物が、着物愛好者からは、やや軽視されてきた原因になっている。
本発明は、以上の欠点をなくすためになされたものである。
【課題を解決するための手段】
【０００４】  着物を上部分と下部分に分ける。
着物の上部分の裾は紐をつけない。
横で結ぶか帯を使用する。
スーツのように上着と下着とに分かれるため、それぞれを他の柄や長さのものと交換ができる。
本発明は、以上の構成よりなる着物スーツである。
【発明を実施するための最良の形態】
【０００５】  以下、本発明の実施の形態について説明する。
着物スーツは上下に分ける。
着物スーツの上部分は、袖（１）の形や長さは自由に決めることができる。
襟（２）は付け襟可能として、他の物を交換して使用できる。
脇線やや下に細い紐をつけ、それを結ぶことで帯（３）は無くても着用できる。
また、上から帯をすることもできる。
その場合普通に着物を着用したように見える。
上部の裾（４）は、着丈を調整することができる。
着物スーツの下部分は、幅広の腰紐（５）をとりつけ、身体に巻くように着用する。
着物スーツは上下が分かれているために、幼い子どもや高齢者も容易に着脱することができる。
入院中等で常時寝間着で過ごす場合も、寝間着の上から着ることもでき、院内での移動や外出時にも便利である。
着物スーツは、上下別仕立てになるので、多様な組み合わせを楽しむことができる。
着物スーツは、着物のような着付けの困難さが無いため、男女問わず着物スーツで「着物」を楽しんだり活用したりすることができる。
【発明の効果】
【０００６】  帯を付けないときは、作務衣風に着用することができ、家事等をするときは便利である。
また、旅行等乗り物の中でも、帯は外していても不自然にならない。
帯をつければ、普通に着物を着用しているように見える。
帯をつけてもつけなくてもよいので、高齢者の方や病院等に入院中の方を含み、多くの人が着用可能である。
さらに、上下別仕立てになっているので、片方が使用不可となっても、他のものを組み合わせて使用することが可能である。
布地は従来の着物の布だけに拘らず、洋服地での作製も可能である。
【図面の簡単な説明】
【図１】  本発明の正面図である。
【図２】  本発明の袖の形及び裾の長さ変更状況を示した説明図である。
【図３】  本発明の上部名称の正面図である。
【図４】  本発明の下部名称の裏面図である。
【図５】  本発明の下部名称の正面図である。
【符号の説明】
１  袖
２  襟
３  上部結び紐
４  裾
５  腰紐
【図１】
2005097811.tif 000003
【図２】
2005097811.tif 000004
【図３】
2005097811.tif 000005
【図４】
2005097811.tif 000006
【図５】
2005097811.tif 000007
(57)【要約】【課題】  更年期障害や成人病予防効果のある、ホップに含有する薬理的効能成分は摂取したいが、アルコールの摂取は避けたい方へ、薬理的効能成分（プレニルフラボノイド）を含んだ、ホップで作ったお茶を提供するものである。【解決手段】ホップに含まれる、プレニルフラボノイドの薬理的な効能に注目した。ホップの種類はザーツを使用（水１ｌ：ホップ１ｇ）し煮沸を１０分間行う。これを２０分常温で静止させ、これをろ過し余分な固形分を除去し糖分添加によって、飲みやすいレベルの苦味まで調整を行い、液体のお茶として提供する。使用するホップは、ビール醸造用で使用する固形濃縮型を使用することによって、効能成分の抽出を容易に行え、コスト面もよい。【特許請求の範囲】
【請求項１】
ホップ中の薬理効果成分（プレニルフラボノイド）を煮沸させることにより抽出させた液体製品のお茶
【発明の詳細な説明】
【技術分野】
【０００１】本発明は、健康増進と美容効果を目的とした、お茶飲料水である。
ホップ（ビール副原料で使用する）に含まれる、ホップポリフェノールであるプレニルフラボノイドという成分が、骨多孔症治療効果  抗がん作用  動脈硬化予防作用等があると報告されており、更にこの成分は低濃度０．０１％で、高いエストロゲン活性を示す。これは、更年期障害等の治療にも用いられている。これらの効能を容易に体内摂取できるようにした液体お茶製品である。
【背景技術】
【０００２】従来、市販されているタイプは、ハーブティーとして乾燥させたホップにお湯を注ぎ、アロマ的な楽しみを得るものである。これは、ホップ中の効能成分を抽出させる目的でなく、主に香りを楽しむものである。更にアルコール摂取は避けたいが、効能成分は容易で手軽に摂取したい方へ提供するお茶もなかった。
【発明の開示】
【発明が解決しようとする課題】
【０００３】本発明は、アルコールの摂取は避けたいが、健康維持に役立つホップに含まれるプレニルフラボノイドは、手軽で容易に体内摂取したいという課題を解決するためになされたものである。
【課題を解決するための手段】
【０００４】ビール醸造用として販売がなされている固形に濃縮されたホップを、１０分間煮沸を行い２０分程そのまま静止、その後ろ過を行い、その後苦味レベルを調整するために糖分を添加する。十分にポリフェノールを抽出させた液体のお茶製品にすることで体内摂取が容易になった。
【発明の効果】
【０００５】液体のお茶へ製品化することにより、手軽に体内摂取する事が可能になり、骨多孔症治療効果  抗がん作用  動脈硬化予防作用等が期待できる。しかもこの成分は低濃度０．０１％で、高いエストロゲン活性を示す。これは、更年期障害等の緩和が期待できる。
【発明の実施の最良の形態】
【０００６】（イ）  固形に濃縮されたホップ（種類：ザーツ）を、水１ｌに対してホップ１ｇの割合で１０分間煮沸させその後２０分程度常温で静止。
（ロ）  煮沸後の残留固形分をろ過する事によりお茶を得る。
（ハ）  このレベルでは、苦味が強く飲みにくいので、糖分の添加によって味の調整を行う。